(57)【要約】【課題】電源を入れた状態で、容易且つ安全に面換えを行う。【解決手段】パチンコ機の遊技盤を内枠に取り付けると、各々に設けられたドロワコネクタが接続され、遊技盤側に設けられた主制御装置８０等と内枠側に設けられた電源基板６４等が電気的に接続される。また、遊技盤が正常に内枠に取り付けられるとオン状態となり、それ以外の場合にはオフ状態となる状態確認スイッチ７７が、内枠側のドロワコネクタに隣接して設けられている。そして、状態確認スイッチ７７からの信号が電源基板６４のスイッチング回路６４ｂに入力され、状態確認スイッチ７７からオン状態になると電源基板６４から主制御装置８０等に電力供給がなされ、状態確認スイッチ７７からオフ状態になると、該電力供給が停止される。【選択図】図１１
2014128391.tif 000002
【特許請求の範囲】
【請求項１】
表側に遊技領域が形成されると共に、裏側に装置が配された遊技盤と、前記遊技盤が着脱可能に取り付けられると共に、取り付けられた前記遊技盤に配された装置に電力を供給する電力供給手段が配された遊技枠とを備える弾球遊技機において、
前記遊技盤は、当該遊技盤に配された装置への電力供給を行うための遊技盤側コネクタを備え、
前記遊技枠は、前記遊技盤が当該遊技枠に取り付けられた際に、該遊技盤が備える前記遊技盤側コネクタに接続される遊技枠側コネクタを備え、
前記弾球遊技機は、前記遊技盤が前記遊技枠に取り付けられているか否かを検出する検出手段を備え、
前記電力供給手段は、
接続状態となった前記遊技枠側コネクタ及び前記遊技盤側コネクタを介して、前記遊技枠に取り付けられた前記遊技盤に配された装置に電力を供給し、
前記検出手段により、前記遊技盤が前記遊技枠に取り付けられていないことが検出されると、前記遊技盤に配された装置への電力供給を停止すること、
を特徴とする弾球遊技機。
【請求項２】
請求項１に記載の弾球遊技機において、
前記電力供給手段は、前記検出手段により前記遊技盤が前記遊技枠に取り付けられていないことが検出され、前記遊技盤に配された装置への電力供給を停止した後に、前記検出手段により前記遊技盤が前記遊技枠に取り付けられていることが検出されると、前記遊技盤に配された装置への電力供給を再開すること、
を特徴とする弾球遊技機。
【請求項３】
請求項１または請求項２に記載の弾球遊技機において、
前記電力供給手段は、前記弾球遊技機の各部位に電力を供給する電源基板として構成されていること、
を特徴とする弾球遊技機。
【請求項４】
請求項３に記載の弾球遊技機において、
前記検出手段は、前記遊技盤が前記遊技枠に取り付けられているか否かを示す信号を生成するスイッチとして構成されており、
前記電力供給手段は、前記信号に応じて、前記遊技盤に配された装置への電力供給の状態を切り替える専用回路として構成されていること、
を特徴とする弾球遊技機。
【請求項５】
請求項１または請求項２に記載の弾球遊技機において、
前記遊技枠は、
前記弾球遊技機の各部位に電力を供給する電源基板と、
遊技者に獲得賞球を付与するための処理を行う払出制御装置と、
をさらに備え、
前記電力供給手段は、前記払出制御装置として構成されており、前記電源基板から供給された電力を、接続状態となった前記遊技枠側コネクタ及び前記遊技盤側コネクタを介して、前記遊技枠に取り付けられた前記遊技盤に配された装置に電力を供給すること、
を特徴とする弾球遊技機。
【請求項６】
請求項１に記載の弾球遊技機において、
前記電力供給手段は、
前記弾球遊技機への電力供給の開始時に、前記検出手段により前記遊技盤が前記遊技枠に取り付けられていることが検出されると、前記遊技盤に配された装置への電力供給を開始すると共に、前記遊技盤が前記遊技枠に取り付けられていないことが検出されると、前記遊技盤に配された装置への電力供給を開始せず、
前記検出手段により前記遊技盤が前記遊技枠に取り付けられていないことが検出され、前記遊技盤に配された装置への電力供給を停止すると、前記弾球遊技機への電力供給が停止するまでの間は、前記検出手段により前記遊技盤が前記遊技枠に取り付けられていることが検出されても、前記遊技盤に配された装置への電力供給を再開しないこと、
を特徴とする弾球遊技機。
【発明の詳細な説明】
【技術分野】
【０００１】
本発明は、弾球遊技機の技術分野に関する。
【背景技術】
【０００２】
弾球遊技機は、一般的に、表側に遊技領域が形成されると共に、裏側に遊技の進行を制御する主制御装置等が設けられている遊技盤と、前面に各種電飾や発射ハンドル等が設けられていると共に、内部には各部位に電力を供給する電源基板等が設けられている遊技枠と、当該弾球遊技機の外郭をなし、遊技枠が収納される外枠から構成される。
【０００３】
そして、パチンコ店に設置されている弾球遊技機の機種を変更する際には、遊技枠ごと交換する枠換えと、遊技枠を残したまま遊技盤のみを変更する面換えがなされる場合があり、枠換えよりも面換えのほうが低コストであるため、多くの場合は面換えがなされる。
【０００４】
ここで、面換えにて遊技盤を遊技枠に取り付ける際には、遊技盤に設けられた装置と内枠に設けられた装置とを電気的に接続する必要があるが、これらを接続するための配線は非常に多いため、多くの作業時間が必要となると共に、接続ミスが生じる危険性がある。
【０００５】
そこで、近年の弾球遊技機は、遊技枠と遊技盤にそれぞれドロワコネクタが設けられている。このドロワコネクタには、遊技枠に設けられた電源基板から遊技盤に設けられた装置に電力供給を行うための電源端子や、遊技枠と遊技盤に設けられた各装置間の通信用端子等が設けられている。そして、遊技盤の遊技枠への正常な取り付けに伴いこれらのドロワコネクタが嵌合する構成とし、遊技盤と遊技枠とに設けられた各装置間の電気的な接続が完了するようになっている（例えば、特許文献１，２）。
【先行技術文献】
【特許文献】
【０００６】
【特許文献１】特開２０１１−８３４７０号公報
【特許文献２】特開２００８−１２５９８０号公報
【発明の概要】
【発明が解決しようとする課題】
【０００７】
上述したドロワコネクタを用いることで、作業時間の低減や接続ミスの防止を図ることができるが、遊技盤の取り付け，取り外しに伴いドロワコネクタ同士を円滑に着脱させるには、遊技盤と遊技枠の連結部分に遊びを持たせたり、ドロワコネクタの位置や角度を可変にする等の必要がある。
【０００８】
しかし、弾球遊技機の電源を入れた状態で面換えを行う場合があるが、このような場合には、上記遊びを持たせたこと等により、遊技盤の取り付け等の際にドロワコネクタの電源端子が他の端子等に接触し、ショートが生じてしまう場合があった。さらに、面換えが繰り返し行われると、ドロワコネクタ等が劣化して該接触が生じやすくなり、ショートが生じる危険性が高くなるという問題があった。
【０００９】
本願発明は上記課題に鑑みてなされたものであり、電源を入れた状態で、容易且つ安全に面換えを行うことができる弾球遊技機を提供することを目的とする。
【課題を解決するための手段】
【００１０】
上記課題に鑑みてなされた請求項１に係る発明は、表側に遊技領域が形成されると共に、裏側に装置が配された遊技盤と、遊技盤が着脱可能に取り付けられると共に、取り付けられた遊技盤に配された装置に電力を供給する電力供給手段が配された遊技枠と、自装置の外郭をなし、遊技枠が収納される外枠とを備える弾球遊技機に関するものである。
【００１１】
また、遊技盤は、当該遊技盤に配された装置への電力供給を行うための遊技盤側コネクタを備え、遊技枠は、遊技盤が当該遊技枠に取り付けられた際に、該遊技盤が備える遊技盤側コネクタに接続される遊技枠側コネクタを備え、弾球遊技機は、遊技盤が遊技枠に取り付けられているか否かを検出する検出手段を備える。
【００１２】
そして、電力供給手段は、接続状態となった遊技枠側コネクタ及び遊技盤側コネクタを介して、遊技枠に取り付けられた遊技盤に配された装置に電力を供給し、検出手段により、遊技盤が遊技枠に取り付けられていないことが検出されると、遊技盤に配された装置への電力供給を停止する。
【００１３】
このような構成によれば、遊技盤を遊技枠に取り付けるのに伴い、遊技盤側コネクタと遊技枠側コネクタが接続されると共に、遊技盤を遊技枠から取り外すのに伴い、これらのコネクタの接続が解除される。このため、遊技盤の遊技枠への取り付け，取り外しに応じて、遊技盤側の装置と遊技枠側の装置との間の電気的接続が完了或いは解除され、遊技盤を取り替える面換えの作業を容易に行うことができる。
【００１４】
また、上記構成によれば、遊技枠に配された電力供給手段から遊技盤側の装置に対し、接続状態となった遊技枠側コネクタ及び遊技盤側コネクタを介して電力供給される。このため、これらのコネクタには該電力供給を行うための電源端子が設けられており、遊技盤の取り付け，取り外しの際に該電源端子が他の端子等に接触し、ショートが生じる危険性がある。
【００１５】
これに対し、上記構成によれば、遊技枠から遊技盤を取り外すと、電力供給手段から遊技盤側の装置への電力供給が停止される。このため、遊技盤の取り付け，取り外しの際、仮にコネクタに設けられた電源端子が他の端子に接触したとしてもショートが生じることは無く、電源を入れた状態で容易且つ安全に面換えを行うことができる。
【００１６】
なお、請求項２に記載されているように、電力供給手段は、検出手段により遊技盤が遊技枠に取り付けられていないことが検出され、遊技盤に配された装置への電力供給を停止した後に、検出手段により遊技盤が遊技枠に取り付けられていることが検出されると、遊技盤に配された装置への電力供給を再開しても良い。
【００１７】
このような構成によれば、遊技盤が取り外された後、再度、遊技盤が遊技枠に取り付けられると、電源の再投入等を行うこと無く直ちに弾球遊技機での遊技が可能となり、面換えの作業をより効率的に行うことができる。
【００１８】
また、遊技盤の取り付けにより遊技盤側の装置への電力供給が再開され、該装置等が稼動した状態となるため、面換えにより故障が生じたとの誤解を与えることが無くなる。
また、請求項３に記載されているように、電力供給手段は、弾球遊技機の各部位に電力を供給する電源基板として構成されていても良い。
【００１９】
こうすることにより、弾球遊技機の各部位への電力供給を一元的に制御することができ、弾球遊技機の構成をより簡素化することが可能となる。
また、弾球遊技機に設けられている上記電源基板には、一般的にＣＰＵが設けられていない。
【００２０】
そこで、請求項４に記載の弾球遊技機では、検出手段は、遊技盤が遊技枠に取り付けられているか否かを示す信号を生成するスイッチとして構成されており、電力供給手段は、信号に応じて、遊技盤に配された装置への電力供給の状態を切り替える専用回路として構成されている。
【００２１】
こうすることにより、電源基板にＣＰＵを設けること無く、より低コストで、遊技盤の取り付け，取り外しに伴う遊技盤側の装置への電力供給状態を制御することができる。
一方、請求項５に記載されているように、遊技枠は、弾球遊技機の各部位に電力を供給する電源基板と、遊技者に獲得賞球を付与するための処理を行う払出制御装置と、をさらに備え、電力供給手段は、払出制御装置として構成されており、電源基板から供給された電力を、接続状態となった遊技枠側コネクタ及び遊技盤側コネクタを介して、遊技枠に取り付けられた遊技盤に配された装置に電力を供給しても良い。
【００２２】
こうすることにより、弾球遊技機の各部位への電力供給制御を電源基板と払出制御装置で分散して行うことができ、電源基板にて一元的に該電力供給制御を行う場合に比べ、電源基板の構成が複雑化してしまうことを防ぐことができる。
【００２３】
また、遊技盤を取り付ける際、検出手段が、遊技盤が遊技枠に取り付けられているか否かを誤検出してしまう可能性がある。
そこで、請求項６では、電力供給手段は、弾球遊技機への電力供給の開始時に、検出手段により遊技盤が遊技枠に取り付けられていることが検出されると、遊技盤に配された装置への電力供給を開始すると共に、遊技盤が遊技枠に取り付けられていないことが検出されると、遊技盤に配された装置への電力供給を開始せず、検出手段により遊技盤が遊技枠に取り付けられていないことが検出され、遊技盤に配された装置への電力供給を停止すると、弾球遊技機への電力供給が停止するまでの間は、検出手段により遊技盤が遊技枠に取り付けられていることが検出されても、遊技盤に配された装置への電力供給を再開しない。
【００２４】
このような構成によれば、一旦遊技盤が取り外され、遊技盤側の装置への電力供給が停止すると、弾球遊技機の電源を再投入するまで、該装置への電力供給が再開されない。このため、仮に、遊技盤の取り付けの際、取り付けが完了していないにも関らず、検出手段により遊技盤が遊技枠に取り付けられたことが誤検出されたとしても、遊技盤側の装置に電力供給がされることは無く、より確実にショートの発生を防ぐことができる。
【図面の簡単な説明】
【００２５】
【図１】第１実施形態のパチンコ機の正面図である。
【図２】第１実施形態のパチンコ機の遊技盤の正面図である。
【図３】第１実施形態のパチンコ機の内枠に遊技盤を組み付けた状態の正面図である。
【図４】第１実施形態のパチンコ機の後方斜視図である。
【図５】第１実施形態のパチンコ機の右側面図である。
【図６】第１実施形態のパチンコ機の電気的構成を示すブロック図である。
【図７】第１実施形態のパチンコ機における内枠に遊技盤を取り付ける作業を、図３のＡ−Ａ断面図を用いて示した説明図である。
【図８】第１実施形態のパチンコ機における内枠に遊技盤を取り付ける際の、係合部等の様子を示した説明図である。
【図９】第１実施形態のパチンコ機におけるコネクタ部の上面図、正面図、及び側面図である。
【図１０】第１実施形態のパチンコ機におけるドロワコネクタの可動域を示した正面図及び側面図である。
【図１１】第１実施形態のパチンコ機における電源基板等のブロック図である。
【図１２】第１実施形態におけるメインルーチンについてのフローチャートである。
【図１３】第１実施形態における始動口入賞確認処理についてのフローチャートである。
【図１４】第１実施形態における当否判定処理についてのフローチャートである。
【図１５】第１実施形態における当否判定処理についてのフローチャートである。
【図１６】第１実施形態における当否判定処理についてのフローチャートである。
【図１７】第１実施形態における当否判定処理についてのフローチャートである。
【図１８】第１実施形態における大当り遊技処理についてのフローチャートである。
【図１９】第１実施形態における大当り遊技処理についてのフローチャートである。
【図２０】第１実施形態における大当り遊技処理についてのフローチャートである。
【図２１】第２実施形態のパチンコ機における電源基板等のブロック図である。
【図２２】第２実施形態における電力供給制御処理についてのフローチャートである。
【図２３】第２実施形態の変形例における電源投入処理についてのフローチャートである。
【図２４】第２実施形態の変形例における電力供給制御処理についてのフローチャートである。
【発明を実施するための形態】
【００２６】
以下、本発明の実施形態について図面を用いて説明する。なお、本発明の実施の形態は、下記の実施形態に何ら限定されることはなく、本発明の技術的範囲に属する限り種々の形態を採りうる。
【００２７】
［第１実施形態］
［構成の説明］
（１）全体の構成について
図１に記載されているように、パチンコ機１は、縦長の固定外郭保持枠をなす外枠１０にて構成の各部を保持する構造としてある。
【００２８】
外枠１０には、左側の上下の位置に設けたヒンジ１１を介して、前枠（意匠枠）２０および内枠が開閉可能に設けられている。前枠２０の枠内には板ガラスが嵌め込まれており、板ガラスの奥には、内枠に保持された遊技盤４０が設けられている。
【００２９】
前枠２０の上部には、遊技状態に応じて発光する枠側装飾ランプや遊技の異常を報知するＬＥＤ類を備えた装飾部２４が設けられている。また、前枠２０の上部の左右両側位置にはスピーカ５６が設けられ、遊技中は、これらのこれらから各種音声が出力される。
【００３０】
前枠２０の下半部には、賞球や貸し球として払い出された遊技球を、遊技盤４０の遊技領域へ向けての発射待ちの遊技球として貯留する上皿２１と下皿２２とが一体に形成されている。上皿２１には、向かって右側に貸出ボタン２５，精算ボタン２６、及び、残高表示装置２７が設けられている。また、中央には、演出ボタン２８及びジョグダイヤル２９が設けられている。
【００３１】
下皿２２は、上皿２１から溢れた遊技球を受ける構成となっており、球抜きレバーの操作により、下皿２２に溜まった遊技球を遊技施設に備えられた別箱（ドル箱）に移すことができる。
【００３２】
下皿２２に向かって右側には、発射ハンドル２３が設けられ、該発射ハンドル２３を時計回りに操作することにより発射装置が作動して、上皿２１から供給された遊技球が遊技盤４０の遊技領域に向けて発射される。
【００３３】
なお、発射ハンドル２３の上方には、前枠２０及び内枠３０を外枠１０にロックするシリンダ錠が設けられており、該シリンダ錠に所定の鍵を挿入し、鍵を時計回りに操作すると、内枠が開放され、反時計回りに操作すると、前枠２０が開放される。
【００３４】
また、図２に記載されているように、遊技盤４０には、外レール４０ａと内レール４０ｂとによって囲まれた略円形の遊技領域４１が形成されている。遊技領域４１には、その中央部に表示枠飾りたるセンターケース４３（装飾役物）が装着され、その内部には、大型の演出図柄表示装置８４が設置されている。演出図柄表示装置８４に向かって左側には、普通図柄作動ゲート４７が設置されており、普通図柄作動ゲート４７を遊技球が通過すると、普通図柄（普図）の当否抽選用の乱数が抽出され、抽出された乱数に基づいて普通図柄抽選が行なわれる。
【００３５】
演出図柄表示装置８４の直下位置には、遊技球の入球により特別図柄（以下、単に特図という）の当否抽選の起因となる第１，第２始動口４４，４５が設置されている。第２始動口４５は、普図の当否抽選が当選したときに開放される普通電動役物として構成されている。第１，第２始動口４４，４５へ遊技球が入球すると、複数種類の乱数が抽出され、抽出された乱数は特図の保留記憶として記憶される。そして、これらの乱数に基づいて特図の大当り抽選が行われる。
【００３６】
第１，第２始動口４４，４５の下方位置には、特図の当否抽選に当選し、大当り遊技が行われる際に開放される特別電動役物からなる大入賞口４６が設置されている。
また、第１，第２始動口４４，４５の両側には、複数の一般入賞口４８が設置されている。また、遊技盤４０における向かって右下の領域（遊技領域４１の外側の領域）には、８個のＬＥＤからなる第１特図表示装置５２及び第２特図表示装置５３と、７セグのＬＥＤからなる第１特図保留数表示装置５４及び第２特図保留数表示装置５５と、２個のＬＥＤからなる普通図柄表示装置５０と、７セグのＬＥＤからなる普図保留数表示装置５１が設置されている。
【００３７】
また、遊技領域４１には多数の遊技釘が植設されており、盤面最下部にはアウト口が設けられている。
図３は、前枠２０の無い状態における内枠３０と、これに組付けた遊技盤４０とを示す概略正面図である。遊技盤４０を支持する枠状体である内枠３０は、金属フレームからなる左縦枠部３０ｃ（図の左側），右縦枠部３０ｄ（図の右側）と、これらの上端間および下端間にそれぞれ架設された上枠部３０ａと下枠部３０ｂとを備え、その外形寸法は外枠１０の枠内寸法に合わせてあり、外枠１０に対してヒンジ１１により開閉可能である。
【００３８】
内枠３０には、上部の左右両端のコーナー部内に左右一対のスピーカ５６が設けられている。これらのスピーカ５６はボックス型のパッシブスピーカである。
内枠３０は、その枠内に組付けた遊技盤４０における向かって左側の側縁（左側縁）の上下位置を、左縦枠部３０ｃの上下に設けられた係合手段たる係合部３１により係合保持すると共に、上枠部３０ａおよび下枠部３０ｂに設けられたロック部３２により、右縦枠部３０ｄ寄りの位置で、遊技盤４０の上縁および下縁をロックする。
【００３９】
内枠３０の下枠部３０ｂは、その上下幅が広く、下枠部３０ｂのほぼ中央位置には、遊技盤４０へ向けて遊技球を発射する発射装置５７が設置されている。なお、発射装置５７の設置位置に応じ、上皿２１は、その左右幅方向の中央より遊技球を取り込んで発射装置５７へ送るように構成されている。
【００４０】
パチンコ機１の裏面側には、図４，５に記載されているように、内枠３０の上枠部３０ａの裏面に、左右のスピーカ５６を避けて球タンク６１が設けられている。球タンク６１は、遊技施設の島設備（図示無し）から供給される遊技球を受ける構成で、浅い容器状に形成されている。
【００４１】
球タンク６１に貯留された遊技球は、遊技球供給通路を経て、賞球又は貸し球として上皿２１に払い出される。遊技球供給通路は、払い出す遊技球を計数すると共に、払出量を制御する払出装置６３が設けられている。
【００４２】
遊技盤４０の裏面は、合成樹脂のカバー部材４２で被覆されている。カバー部材４２は、遊技盤４０に固着されてその裏面外周を囲む外周部を備え、外周部の後部開口を着脱可能に塞ぐように設置されている。そして、カバー部材４２及びその外周部の内部には、遊技盤４０の裏面に、遊技全般の制御を司る主制御装置８０や、演出図柄表示装置８４や、該演出図柄表示装置８４を制御する演出図柄制御装置８３や、音声，ランプ類の制御を司るサブ統合制御装置８２等が設置されている（図６参照）。また、遊技盤４０を貫通する第１，第２始動口４４，４５や、大入賞口４６等の可動役物や、センターケース４３、普通図柄表示装置５０等の装飾役物の部品類が設置されている。
【００４３】
また、内枠３０の下枠部３０ｂの裏面には、電源基板６４や、払出装置６３を制御する払出制御装置８１（図６）や、その他の構成部品が設置されている。なお、電源基板６４の側面には、パチンコ機１への電源をオン／オフする電源スイッチ６４ａが設けられている。
【００４４】
また、内枠３０および遊技盤４０における右縦枠部３０ｄ付近には、内枠３０側に設けられた電源基板６４や払出制御装置８１と、遊技盤４０側に設けられた主制御装置８０とを電気的に接続するコネクタ部７０が設けられている。コネクタ部７０には、主制御装置８０に電力を供給するための電源端子や、主制御装置８０と、内枠３０に設けられた払出制御装置８１等の装置との間で各種信号の送受信を行うための端子等が設けられている。
【００４５】
（２）電気的構成について
次に、パチンコ機１の電気的構成について説明する。このパチンコ機１は、図６のブロック図に示すとおり、主制御装置８０を中心にして構成されている。なお、このブロック図には、単に信号を中継するいわゆる中継基板や電源基板６４等は記載されていない。また、詳細な図示は省略するが、主制御装置８０，払出制御装置８１，演出図柄制御装置８３，サブ統合制御装置８２のいずれもＣＰＵ，ＲＯＭ，ＲＡＭ，入力ポート，出力ポート等を備えている。また、発射装置５７，電源基板６４にはＣＰＵ，ＲＯＭ，ＲＡＭは設けられていないが、これに限るわけではなく、発射装置５７等にＣＰＵ，ＲＯＭ，ＲＡＭ等を設けてもよい。
【００４６】
主制御装置８０には、第１始動口４４に入球した遊技球を検出する第１始動口ＳＷ４４ａ、第２始動口４５に入球した遊技球を検出する第２始動口ＳＷ４５ａ、普通図柄作動ゲート４７に進入した遊技球を検出する普通図柄作動ＳＷ４７ａ、大入賞口４６に入球した遊技球を計数するための第１カウントＳＷ４６ａ、一般入賞口４８に入球した遊技球を検出する一般入賞口ＳＷ４８ａ等からの検出信号が入力される。
【００４７】
主制御装置８０は、搭載しているプログラムに従って動作して、上述の検出信号等に基づいて遊技の進行に関わる各種のコマンドを生成し、払出制御装置８１及びサブ統合制御装置８２に出力する。
【００４８】
また、主制御装置８０は、図柄表示装置中継端子板６７を介して接続されている第１特図表示装置５２，第２特図表示装置５３，第１特図保留数表示装置５４，第２特図保留数表示装置５５，普通図柄表示装置５０，普図保留数表示装置５１の表示を制御する。
【００４９】
さらに、主制御装置８０は、大入賞口ソレノイド４６ｂを制御することで大入賞口４６の開閉を制御し、普電役物ソレノイド４５ｂを制御することで第２始動口４５の開閉を制御する。
【００５０】
主制御装置８０からの出力信号は試験信号端子にも出力されるほか、図柄変動や大当り等の管理用の信号が外部接続端子板６０に出力されてホールコンピュータ３に送られる。
また、主制御装置８０と払出制御装置８１とは、盤枠配線中継端子板８５を介して双方向通信が可能である。
【００５１】
払出制御装置８１は、主制御装置８０から送られてくるコマンドに応じて払出モータ３６を稼働させて賞球を払い出させる。第１実施形態においては、賞球として払い出される遊技球を計数するための払出ＳＷ３７の検出信号は払出制御装置８１に入力され、払出制御装置８１で賞球の計数が行われる構成を用いる。この他にも、主制御装置８０と払出制御装置８１に払出ＳＷ３７の検出信号が入力され、主制御装置８０と払出制御装置８１の双方で賞球の計数を行う構成を用いることも考えられる。
【００５２】
なお、払出制御装置８１は、ガラス枠閉鎖ＳＷ３３，内枠閉鎖ＳＷ３４，球切れＳＷ３５，払出ＳＷ３７，満杯ＳＷ３８からの信号が入力され、満杯ＳＷ３８により下皿２２が満タンであることを示す信号が入力された場合や、球切れＳＷ３５により球タンク６１に遊技球が少ないあるいは無いことを示す信号が入力された場合には、払出モータ３６を停止させ、賞球の払出動作を停止させる。また、満杯ＳＷ３８，球切れＳＷ３５も、その状態が解消されるまで信号を出力し続ける構成になっており、払出制御装置８１は、その信号が出力されなくなることに起因して払出モータ３６の駆動を再開させる。
【００５３】
また、払出制御装置８１は、ＣＲユニット端子板６９を介してＣＲユニット２と交信することで払出モータ３６を作動させ、貸し球を排出する。払出された貸し球は払出ＳＷ３７に検出され、検出信号は払出制御装置８１に入力される。また、ＣＲユニット端子板６９は、残高表示装置２７とも双方向通信可能に接続されており、残高表示装置２７には、遊技球の貸出しを要求するための貸出ボタン２５、精算を要求するための精算ボタン２６が設けられている。
【００５４】
また、払出制御装置８１は、外部接続端子板６０を介して賞球に関する情報、枠（内枠３０，前枠２０）の開閉状態を示す情報等をホールコンピュータ３に送信するほか、発射装置５７に対して発射停止信号を送信する。
【００５５】
なお、第１実施形態は遊技球を払出す構成であるが、入賞等に応じて発生した賞球を払い出さずに記憶する封入式の構成にしても良い。
発射装置５７は、発射モータ５７ｃを制御して、遊技領域４１に遊技球を発射させる。
【００５６】
なお、発射装置５７には、払出制御装置８１以外に、発射ハンドル２３からの回動量信号、タッチＳＷ５７ｂからのタッチ信号、発射停止ＳＷ５７ａから発射停止信号が入力される。
【００５７】
回動量信号は、遊技者が発射ハンドル２３を操作することで出力され、タッチ信号は遊技者が発射ハンドル２３を触ることで出力され、発射停止スイッチ信号は、遊技者が発射停止ＳＷ５７ａを押すことで出力される。なお、タッチ信号が発射装置５７に入力されていなければ、遊技球は発射できないほか、発射停止スイッチ信号が入力されているときには、遊技者が発射ハンドル２３を触っていても遊技球は発射出来ないようになっている。
【００５８】
サブ統合制御装置８２は、主制御装置８０から送信されてくるデータ及びコマンドを受信し、それらを演出表示制御用、音制御用及びランプ制御用のデータに振り分けて、演出表示制御用のコマンド等は演出図柄制御装置８３に送信し、音制御用及びランプ制御用は自身に含まれている各制御部位（音声制御装置及びランプ制御装置としての機能部）に分配する。
【００５９】
そして、音声制御装置としての機能部は、音声制御用のデータに基づいて音ＬＳＩを作動させることによってスピーカ５６からの音声出力を制御し、ランプ制御装置としての機能部は、ランプ制御用のデータに基づいてランプドライバを作動させることによって装飾部２４を制御する。
【００６０】
また、サブ統合制御装置８２には、演出ボタン２８，ジョグダイヤル２９が接続されており、遊技者が演出ボタン２８，ジョグダイヤル２９を操作した際には、その信号がサブ統合制御装置８２に入力される。
【００６１】
サブ統合制御装置８２と演出図柄制御装置８３とは双方向通信が可能である。
演出図柄制御装置８３は、サブ統合制御装置８２から受信したデータ及びコマンド（共に主制御装置８０から送信されてきたものとサブ統合制御装置８２が生成したものとがある）に基づいて演出図柄表示装置８４を制御して、演出図柄の変動表示（図柄変動）等の演出画面を表示させる。
【００６２】
（３）コネクタ部について
図４，５，７に記載されているように、内枠３０及び遊技盤４０の裏面の右縦枠部３０ｄ付近には、内枠３０側に設けられた電源基板６４や払出制御装置８１と、遊技盤４０側に設けられた主制御装置８０とを電気的に接続するコネクタ部７０が設けられている。コネクタ部７０は、内枠３０側のドロワコネクタ７１と、遊技盤４０側のドロワコネクタ７２とから構成され、内枠３０に遊技盤４０を組付けたときにこれらが接続される構成となっている。
【００６３】
図７（図３のＡ−Ａ断面図を用いた説明図）に記載されているように、遊技盤４０の内枠３０の組付け作業では、内枠３０の枠内にその前方より遊技盤４０が組み付けられる。まず、遊技盤４０の左側縁を、内枠３０の左縦枠部３０ｃ側の枠内に斜め前方より挿入し、内枠３０に対して遊技盤４０が斜めの状態で、左側縁を左縦枠部３０ｃに係合せしめる（図７（ａ），（ｂ））。この係合は係合部３１によりなされ、係合の後、係合した部位を回動中心として、遊技盤４０の右側縁を、矢印Ｇ方向に押し込み（内枠３０の右縦枠部３０ｄ側の枠内へ押し込み）、ロック部３２によりロックせしめる（図７（ｃ），（ｄ））。
【００６４】
図８は、係合部３１により、内枠３０の左縦枠部３０ｃに遊技盤４０の左側縁を係合させる作業を示す。係合部３１には、左縦枠部３０ｃの枠内面から突出し、断面がほぼＶ字形に屈曲形成したバネ材３１ａと、該バネ材３１ａよりも後方位置で遊技盤４０の裏面に当接せしめる当接突起３１ｂが設けられている。
【００６５】
遊技盤４０の左側縁を、係合部３１のバネ材３１ａと当接突起３１ｂとの間に斜めに挿入すると、左側縁に設けられた係合溝にバネ材３１ａが嵌合される（図８（ａ），（ｂ））。そして、遊技盤４０の右側縁を押し込むことで、バネ材３１ａの先端を係合溝内に当接せしめると共に、当接突起３１ｂを遊技盤４０の裏面に当接させ、バネ材３１ａと当接突起３１ｂとで、遊技盤４０の左側縁を前後に挟み付けて係合保持する（図８（ｃ））。
【００６６】
一方、図７に示すように、コネクタ部７０は、内枠３０の右縦枠部３０ｄから後方へこれを延長するように延び、且つ、枠内側へ屈曲せしめた断面ほぼＬ字形の金属厚板からなる支持部７３を備える。支持部７３の後面は、遊技球供給通路の後面とほぼ同等の後方位置に形成されている。支持部７３の内面側には、遊技盤４０の組付け作業における押し込み時に、遊技盤４０の右側縁側の移動軌跡（矢印Ｇ）の延長線とほぼ直交するように設けられ、パチンコ機１の横幅方向（組付けられた遊技盤４０の横幅方向）に対して所定の角度で傾斜する取付面７４が設けられている。そして、取付面７４には、移動軌跡に向かうように（横幅方向に対して傾斜状に）内枠３０側のドロワコネクタ７１が複数（一例として３つ）設置されている。
【００６７】
なお、移動軌跡Ｇは、遊技盤４０の左側縁側を内枠３０の左縦枠部３０ｃに係合せしめた係合部３１を回転中心とする円弧状の軌跡となっている。
内枠３０側のドロワコネクタ７１に対応して、遊技盤４０の裏面には、カバー部材４２の外周部からなる断面ほぼＬ字形の支持部７５の後面に、内枠３０側の取付面７４と同様な傾斜状の取付面７６が設けられている。そして、取付面７６には、盤枠配線中継端子板８５が設置固定され、盤枠配線中継端子板８５には、複数の遊技盤４０側のドロワコネクタ７２が、遊技盤４０の裏面から後方へ離間した位置に設けられている。
【００６８】
また、図９，１０ に示すように、内枠３０側のドロワコネクタ７１はオス型で、長方形状のベース部７１ａの中央に、接続凸部７１ｂを備える。接続凸部７１ｂには、その両端に角柱状のガイド部７１ｃが立設され、両ガイド部７１ｃ間に複数の接続端子が並設されている。両ガイド部７１ｃは、先端が該接続端子より突出しており、ガイド部７１ｃの先端は、先細りのテーパー状となっている。
【００６９】
また、ドロワコネクタ７１には、ベース部７１ａの両端に、取付マウント部材７１ｄが設けられている。これら取付マウント部材７１ｄは、ドロワコネクタ７１を、上下左右に若干移動できるフローティイング状態で支持部７３に取付けるものである。これら取付マウント部材７１ｄにねじ部材Ｎを貫通せしめて支持部７３の取付面７４に締結することで、ドロワコネクタ７１は、取付面７４沿いに上下左右に移動可能に取付けられている（図１０の矢印ｘ，ｙ方向）。なお、ドロワコネクタ７１は、長手方向が縦向きになるように取付面７４に取付けられている。
【００７０】
一方、遊技盤４０側のドロワコネクタ７２は、メス型で、ベース部７２ａに、内枠３０側のドロワコネクタ７１の接続凸部７１ｂが嵌入される接続凹部７２ｂが形成されている。ドロワコネクタ７２は、内枠３０側のドロワコネクタ７１に対応して、遊技盤４０側の支持部７５の取付面７６に、これと平行に設けられた盤枠配線中継端子板８５に締結固定されている。
【００７１】
内枠３０側のドロワコネクタ７１及び遊技盤４０側のドロワコネクタ７２は、遊技盤４０の裏面から後方へ離した位置で接続するように構成したので、遊技盤４０の右側縁側の裏面スペースを確保できる。
【００７２】
また、両ドロワコネクタ７１，７２は、内枠３０への遊技盤４０の組付け作業の押し込みにより、遊技盤４０が内枠３０の所定の位置に配されるのに伴って接続されるため、作業手間がかからない。
【００７３】
また、両ドロワコネクタ７１，７２は、互いに遊技盤４０の移動軌跡Ｇに沿う方向に設けられていると共に、内枠３０側のドロワコネクタ７１は、上下左右に移動可能に取り付けられており、さらに、両ドロワコネクタ７１，７２は、長手方向が縦向きになるように設けられている。
【００７４】
このため、両ドロワコネクタ７１，７２間に位置ズレがあっても、この位置ズレが吸収、修正され、ドロワコネクタ７１の接続凸部７１ｂがドロワコネクタ７２の接続凹部７２ｂに嵌入する際に、こじれや異常な荷重が生じず、スムーズな接続ができる。なお、接続凸部７１ｂを接続凹部７２ｂに嵌入する際、接続凸部７１ｂの両ガイド部７１ｃの先端テーパーが、接続凸部７１ｂを接続凹部７２ｂにスムーズに嵌入案内する。
【００７５】
（４）電源基板について
第１実施形態では、内枠３０側に設けられた電源基板６４から遊技盤４０側に設けられた主制御装置８０に電力が供給されると共に、さらに、電力供給を受けた主制御装置８０から、遊技盤４０側に設けられた、サブ統合制御装置８２等の他の装置に電力が供給される。また、電源基板６４は、内枠側に設けられた、払出制御装置８１等の他の装置に電力を供給する（図１１参照）。
【００７６】
また、電源基板６４には、内枠３０に遊技盤４０が取り付けられた状態（取付状態）か否かを判定する状態確認スイッチ７７が接続されており、該状態確認スイッチ７７は、遊技盤４０の取り付けにより押下され、オン状態となると共に、取り外しにより押下が解除され、オフ状態となる。電源基板６４は、該状態確認スイッチ７７がオン状態である場合には遊技盤４０側（主制御装置８０等）に電力を供給し、オフ状態である場合には、電力を供給しない構成となっている。
【００７７】
なお、電源基板６４にはＣＰＵ，ＲＯＭ，ＲＡＭ等が設けられておらず、ハード的な構成により（専用回路を用いた構成により）、状態確認スイッチ７７の状態に応じて、遊技盤４０側に電力供給をするか否かが切り替えられる。
【００７８】
具体的には、電源基板６４における、遊技盤４０側への電源ライン上には、トランジスタやリレー等のスイッチング素子を用いたスイッチング回路６４ｂが設けられており、該スイッチング回路６４ｂには、状態確認スイッチ７７の状態を示す信号が入力される。
【００７９】
そして、該信号が、状態確認スイッチ７７がオン状態であることを示している場合には、該スイッチング回路６４ｂはオンとなり、電源ラインが導通されて遊技盤４０側への電力供給がなされる。一方、該信号が、状態確認スイッチ７７がオフ状態であることを示している場合には、該スイッチング回路６４ｂはオフとなり、電源ラインが遮断されて遊技盤４０側への電力供給が停止される。
【００８０】
この状態確認スイッチ７７は、内枠３０側のドロワコネクタ７１に隣接して設けられており（図７参照）、内枠３０への遊技盤４０の組付けが完了した状態になるとオン状態となり、それ以外の状態ではオフ状態となる。このため、内枠３０から遊技盤４０を取り外す作業が開始されると、直ちに状態確認スイッチ７７がオフ状態となり、遊技盤４０側への電力供給が停止する構成となっており、これにより、遊技盤４０の取り外し作業中に、コネクタ部７０の電源端子が他の端子に接触し、ショートが発生することを防ぐことができる。
【００８１】
なお、状態確認スイッチ７７の配置位置はこれに限定されることは無く、例えば、係合部３１やロック部３２等、内枠３０と遊技盤４０とが当接する箇所に配置することができる。しかし、状態確認スイッチ７７は、遊技盤４０の取り外し作業の開始時に、直ちにオン状態からオフ状態に変化させることができる位置，態様で配置することが望ましい。
【００８２】
また、例えば、複数の状態確認スイッチ７７を、内枠３０と遊技盤４０とが当接する複数の箇所に配置し、電源基板６４は、取付状態中、いずれか一つの状態確認スイッチ７７の状態が変化すると、直ちに主制御装置８０への電力供給を停止する構成としても良い。
【００８３】
また、例えば、電源基板６４から主制御装置８０への電源ライン上に状態確認スイッチ７７を設け、状態確認スイッチ７７がオン状態の場合には電源ラインを導通させ、オフ状態の場合には電源ラインを遮断させる構成としても良い。これにより、上記スイッチング回路６４ｂを設けること無く、状態確認スイッチ７７により直接的に電源ラインの導通，遮断を切り替えることができる。
【００８４】
また、これ以外にも、電源基板６４は、上述したスイッチング回路等により、電源投入時に、状態確認スイッチ７７がオン状態である場合には遊技盤４０側に電力を供給すると共に、オフ状態である場合には電力を供給しない構成としても良い。さらに、上述したスイッチング回路等により、電源投入中、遊技盤４０が内枠３０から取り外され、状態確認スイッチ７７の状態がオフ状態になると、遊技盤４０側への電力供給を停止し、以後、遊技盤４０を取り付けても、遊技盤４０側への電力供給が再開されないという構成にしても良い。このような場合であっても、同様の効果を得ることができる。
【００８５】
［動作の説明］
次に、第１実施形態のパチンコ機１の動作について説明する。パチンコ機１は、一例として、第１，第２始動口４４，４５への入賞により保留記憶された乱数により大当り抽選が行われると共に、大当り抽選で当選すると、予め定められた特図が停止表示される。そして、停止表示された特図に応じたラウンド数の大当り遊技が行われると共に、大当り遊技後には、該特図に応じて、確変状態や時短状態に移行する。無論、これに限定されることは無く、パチンコ機１は、例えば、所謂羽根モノのパチンコ機として構成されていても良い。以下では、第１実施形態のパチンコ機１の動作について、詳しく説明する。
【００８６】
（１）メインルーチンについて
まず、パチンコ機１の主制御装置８０におけるメインルーチンについて、図１２に記載のフローチャートを用いて説明する。なお、このメインルーチンは、２ｍｓ周期のタイマ割り込み処理として起動される。
【００８７】
Ｓ１０では、主制御装置８０は、正常なタイマ割り込みによりメインルーチンが起動されたか否かを判定し、肯定判定が得られた場合には（Ｓ１０：Ｙｅｓ）、Ｓ２０に処理を移行すると共に、否定判定が得られた場合には（Ｓ１０：Ｎｏ）、Ｓ１５に処理を移行する。
【００８８】
Ｓ１５では、主制御装置８０は、ＣＰＵやＩ／Ｏ等の初期設定を行い、Ｓ８０に処理を移行する。
一方、Ｓ１０で肯定判定が得られた場合には、主制御装置８０は、初期値乱数の更新（Ｓ２０），大当り決定用乱数の更新（Ｓ２５），大当り図柄決定用乱数の更新（Ｓ３０），当り決定用乱数の更新（Ｓ３５），リーチ判定用乱数の更新（Ｓ４０），変動パターン決定用乱数の更新（Ｓ４５）を行う。
【００８９】
そして、主制御装置８０は、始動口等といった入賞口への遊技球の入賞を検出する入賞確認処理と（Ｓ５０）、始動口への入賞に起因して大当り抽選を行う当否判定処理と（Ｓ５５）、大当り抽選で当選した際に、遊技者に所定の遊技価値を付与する大当り遊技を行うための大当り遊技処理（Ｓ６０）を行う。また、遊技球の普通図柄作動ゲート４７の通過に起因して普通図柄抽選等を行う普図当否判定処理と（Ｓ６５）、普通電動役物（第２始動口４５）を開放することで普図遊技を行う普図遊技処理と（Ｓ６７）、遊技者の不正行為を検出する不正監視処理と（Ｓ７０）、サブ統合制御装置８２等にデータ及びコマンドを送信し、また、ホールコンピュータ３等に各種情報を送信する各出力処理と（Ｓ７５）を行う。
【００９０】
また、Ｓ８０では、主制御装置８０は、次のタイマ割込みが発生してメインルーチンが起動されるまで、初期値乱数の更新を繰り返し行う。
（２）始動口入賞確認処理について
次に、第１，第２始動口４４，４５への入賞を検出し、該入賞に応じて保留記憶等を行う始動口入賞確認処理について、図１３に記載のフローチャートを用いて説明する。なお、本処理は、メインルーチンから実行される入賞確認処理からコールされるサブルーチンとして構成されている。
【００９１】
Ｓ１００では、主制御装置８０は、第１始動口ＳＷ４４ａの検出信号と、第２始動口ＳＷ４５ａの検出信号とに基づき、第１始動口４４或いは第２始動口４５への遊技球の入賞が発生したかを判定する。そして、肯定判定の場合は（Ｓ１００：Ｙｅｓ）、Ｓ１０５に処理を移行し、否定判定の場合は（Ｓ１００：Ｎｏ）、本処理を終了する。
【００９２】
Ｓ１０５では、主制御装置８０は、入賞が生じた始動口に対応する特図についての保留記憶の数が、最大値（一例として４）に達しているか否かを判定する。そして、最大値に達している場合には（Ｓ１０５：Ｙｅｓ）、Ｓ１１０に処理を移行し、最大値に達していない場合には（Ｓ１０５：Ｎｏ）、本処理を終了する。
【００９３】
Ｓ１１０では、主制御装置８０は、大当り抽選に用いられる大当り決定用乱数や、大当り抽選で当った際に停止表示される図柄（当り図柄）を決定するための大当り図柄決定用乱数や、図柄演出において、リーチとなった後に外れを示す演出図柄を停止表示させる演出を行うか否かを決定すると共に、該演出の態様（リーチの態様）を決定するためのリーチ判定用乱数や、特別図柄の変動時間等を決定するための変動パターン決定用乱数等を抽出する。そして、抽出した乱数を、入賞が生じた始動口に対応する特図についての保留記憶として記憶し、Ｓ１１５に処理を移行する。
【００９４】
Ｓ１１５では、主制御装置８０は、新たに発生した保留記憶に係る大当り決定用乱数が特定値（現在の遊技状態における大当り抽選で当りとなる値）であるか否かを判定すると共に、該保留記憶に係るリーチ判定用乱数等に基づき、現在の遊技状態における図柄演出でリーチとなるか否かと、該図柄演出でのリーチの態様を判定する先読み判定を行う。そして、先読み判定の結果と、先読み判定が行われた保留記憶に対応する特図の種類（第１特図であるか第２特図であるか）を示す先読みコマンドを生成し、サブ統合制御装置８２に送信する（Ｓ１２０）。
【００９５】
なお、先読みコマンドを受信したサブ統合制御装置８２は、該先読みコマンドに対応する保留記憶が消化されるまで、該先読みコマンドが示す先読み判定結果を保存する。
続くＳ１２５では、主制御装置８０は、新たに発生した保留記憶に対応する特図について、何個の保留記憶が生じているかを示す保留数コマンドを生成し、サブ統合制御装置８２に送信する。なお、第１特図に対応する保留数コマンドを第１保留数コマンド、第２特図に対応する保留数コマンドを第２保留数コマンドとする。その後、主制御装置８０は、本処理を終了する。
【００９６】
また、各特図に対応する保留記憶の数と、該保留記憶についての先読み判定の結果とを示す一つのコマンドを生成し、該コマンドを、先読みコマンドや保留数コマンドに替えて用いても良い。
【００９７】
（３）当否判定処理について
次に、保留記憶に係る大当り決定用乱数により大当り抽選を行う当否判定処理について、図１４〜１７のフローチャートを用いて説明する。なお、本処理は、メインルーチンから実行される。
【００９８】
まず、図１４に関して、Ｓ２００では、主制御装置８０は、特別電動役物の作動中、すなわち、大当り遊技の実行中であるか否かを判定する。そして、肯定判定の場合には（Ｓ２００：Ｙｅｓ）、本処理を終了し、否定判定の場合には（Ｓ２００：Ｎｏ）、Ｓ２０５に処理を移行する。
【００９９】
Ｓ２０５では、主制御装置８０は、第１特図或いは第２特図の変動表示中か否かを判定する。そして、肯定判定の場合には（Ｓ２０５：Ｙｅｓ）、図１６のＳ２８５に処理を移行し、否定判定の場合には（Ｓ２０５：Ｎｏ）、Ｓ２１０に処理を移行する。
【０１００】
Ｓ２１０では、主制御装置８０は、第１特図或いは第２特図の確定表示中か否かを判定する。そして、肯定判定の場合には（Ｓ２１０：Ｙｅｓ）、図１７のＳ２９５に処理を移行し、否定判定の場合には（Ｓ２１０：Ｎｏ）、図１５のＳ２１５に処理を移行する。
【０１０１】
続いて図１５に関して、Ｓ２１５では、主制御装置８０は、第２保留記憶の有無について判定し、肯定判定の場合には（Ｓ２１５：Ｙｅｓ）、Ｓ２２０に処理を移行すると共に、否定判定の場合には（Ｓ２１５：Ｎｏ）、Ｓ２２５に処理を移行する。
【０１０２】
Ｓ２２０では、主制御装置８０は、第２保留記憶の数をデクリメントすると共に、最も古い第２保留記憶を選択し、Ｓ２３５に処理を移行する。
Ｓ２２５では、主制御装置８０は、第１保留記憶の有無について判定し、肯定判定の場合には（Ｓ２２５：Ｙｅｓ）、Ｓ２３０に処理を移行すると共に、否定判定の場合には（Ｓ２２５：Ｎｏ）、本処理を終了する。
【０１０３】
Ｓ２３０では、主制御装置８０は、第１保留記憶の数をデクリメントすると共に、最も古い第１保留記憶を選択し、Ｓ２３５に処理を移行する。
Ｓ２３５では、主制御装置８０は、確変状態であることを示す確変フラグが１か否かを判定し、肯定判定の場合には（Ｓ２３５：Ｙｅｓ）、Ｓ２４０に処理を移行すると共に、否定判定の場合には（Ｓ２３５：Ｎｏ）、Ｓ２４５に処理を移行する。
【０１０４】
Ｓ２４０では、主制御装置８０は、選択された保留記憶に係る大当り判定用乱数と、確変状態に対応する当否判定用テーブル（確変テーブル）に基づき、大当り抽選で当るか否かを判定し、該保留記憶を消化する。そして、Ｓ２５０に処理を移行する。
【０１０５】
一方、Ｓ２４５では、主制御装置８０は、選択された保留記憶に係る大当り判定用乱数と、確変状態でない場合に対応する当否判定用テーブル（通常テーブル）に基づき、大当り抽選で当るか否かを判定し、該保留記憶を消化する。そして、Ｓ２５０に処理を移行する。
【０１０６】
なお、Ｓ２１５〜Ｓ２４５の処理から明らかなように、第１実施形態では、第１保留記憶と第２保留記憶が存在する場合には、第２保留記憶から先に消化される。
Ｓ２５０では、主制御装置８０は、大当り抽選で当ったか否かを判定し、肯定判定の場合には（Ｓ２５０：Ｙｅｓ）、Ｓ２５５に処理を移行すると共に、否定判定の場合には（Ｓ２５０：Ｎｏ）、Ｓ２７０に処理を移行する。
【０１０７】
Ｓ２５５では、主制御装置８０は、消化した保留記憶に係る大当り図柄決定用乱数に基づき当り図柄を決定する。そして、Ｓ２６０に処理を移行する。
Ｓ２６０では、主制御装置８０は、消化した保留記憶に係る変動パターン決定用乱数等に基づき特別図柄の変動時間等を決定し、Ｓ２６５に処理を移行する。
【０１０８】
Ｓ２６５では、主制御装置８０は、当り図柄に応じて、大当り遊技のラウンド数や、大当り遊技後に確変状態や時短状態となるか否かを設定すると共に、確変状態や時短状態の継続回数を設定し、Ｓ２８０に処理を移行する。
【０１０９】
一方、Ｓ２５０で否定判定が得られた場合に移行する（すなわち、大当り抽選で外れた際に移行する）Ｓ２７０では、主制御装置８０は、消化した保留記憶に係るリーチ判定用乱数や変動パターン決定用乱数等に基づき特別図柄の変動時間等を決定し、Ｓ２７５に処理を移行する。なお、この特別図柄の変動時間に応じて、大当り抽選で外れる場合の図柄演出の態様（リーチとなるかノーマル外れ（リーチとなることなく外れる図柄演出）となるか等）が決定される。
【０１１０】
Ｓ２７５では、主制御装置８０は、確変状態中に実行可能な大当り抽選の残り回数（確変回数）や、時短状態中に実行可能な大当り抽選の残り回数（時短回数）を示すカウンタの更新等を行い、Ｓ２８０に処理を移行する。
【０１１１】
Ｓ２８０では、主制御装置８０は、サブ統合制御装置８２に対し、大当り抽選後の第１保留記憶の数を示す第１保留数コマンドと、大当り抽選後の第２保留記憶の数を示す第２保留数コマンドとを送信する。また、消化した保留記憶に対応する特図の変動表示を開始すると共に、サブ統合制御装置８２に対し特別図柄の変動時間等を示す変動開始コマンドを送信することで図柄演出を開始させる。さらに、サブ統合制御装置８２に対し、停止表示させる演出図柄を指示する（大当りになる場合であれば、Ｓ２５５で決定された当り図柄に対応する演出図柄が指定される）図柄指定コマンドを送信し、本処理を終了する。
【０１１２】
続いて図１６に関して、第１特図或いは第２特図の変動表示中に移行するＳ２８５では、主制御装置８０は、特図の変動時間が経過したか否かを判定し、肯定判定の場合には（Ｓ２８５：Ｙｅｓ）、Ｓ２９０に処理を移行すると共に、否定判定の場合には（Ｓ２８５：Ｎｏ）、本処理を終了する。
【０１１３】
Ｓ２９０では、主制御装置８０は、特図の変動表示を終了し、特図の確定図柄を表示させると共に、サブ統合制御装置８２に対し演出図柄の確定表示を行わせる図柄確定コマンドを送信し、本処理を終了する。
【０１１４】
続いて図１７に関して、特図の確定表示中に移行するＳ２９５では、主制御装置８０は、特図の確定表示の継続時間が終了したか否かを判定する。そして、肯定判定の場合には（Ｓ２９５：Ｙｅｓ）、Ｓ３００に処理を移行すると共に、否定判定の場合には（Ｓ２９５：Ｎｏ）、本処理を終了する。
【０１１５】
Ｓ３００では、主制御装置８０は、特図の確定表示を終了し、Ｓ３０５に処理を移行する。
Ｓ３０５では、主制御装置８０は、確定表示されていた特図が大当り時のものであるかを判定し、肯定判定の場合には（Ｓ３０５：Ｙｅｓ）、Ｓ３１５に処理を移行すると共に、否定判定の場合には（Ｓ３０５：Ｎｏ）、Ｓ３５０に処理を移行する。
【０１１６】
Ｓ３１５では、主制御装置８０は、確変状態であることを示す確変フラグを参照すると共に、確変フラグが１である場合には確変フラグをクリアし（Ｓ３２０）、その後、Ｓ３２５に処理を移行する。
【０１１７】
Ｓ３２５では、主制御装置８０は、時短状態であることを示す時短フラグを参照すると共に、時短フラグが１である場合には時短フラグをクリアし（Ｓ３３０）、その後、Ｓ３３５に処理を移行する。
【０１１８】
そして、主制御装置８０は、条件装置作動開始処理（Ｓ３３５），役物連続作動装置作動開始処理（Ｓ３４０），大当り開始演出処理（Ｓ３４５）を順次実行することで、大当り遊技の態様を示すコマンドや、大当り遊技の開始を指示するコマンドをサブ統合制御装置８２に送信する等して大当り遊技を開始し、本処理を終了する。
【０１１９】
一方、Ｓ３０５にて否定判定が得られた場合に移行するＳ３５０では、主制御装置８０は、確変フラグを参照し、該フラグが１である場合には（Ｓ３５０：Ｙｅｓ）、確変状態中に実行可能な大当り抽選の残り回数（確変回数）を参照する（Ｓ３５５）。そして、該残り回数が０である場合には（Ｓ３５５：Ｙｅｓ）、確変フラグをクリアし（Ｓ３６０）、Ｓ３６５に処理を移行する。
【０１２０】
Ｓ３６５では、主制御装置８０は、時短フラグを参照し、該フラグが１である場合には（Ｓ３６５：Ｙｅｓ）、時短状態中に実行可能な大当り抽選の残り回数（時短回数）を参照する（Ｓ３７０）。そして、該残り回数が０である場合には（Ｓ３７０：Ｙｅｓ）、時短フラグをクリアし（Ｓ３７５）、Ｓ３８０に処理を移行する。
【０１２１】
Ｓ３８０では、主制御装置８０は、サブ統合制御装置８２に対し、現在の遊技状態を通知する状態指定コマンドを送信する状態指定コマンド送信処理を実行し、本処理を終了する。
【０１２２】
（４）大当り遊技処理について
次に、大当り遊技の進行を制御する大当り遊技処理について、図１８〜２０のフローチャートを用いて説明する。なお、本処理は、メインルーチンから実行される。
【０１２３】
Ｓ４００では、主制御装置８０は、役物連続作動装置の作動中、すなわち、大当り遊技の実行中であるか否かを判定する。そして、肯定判定の場合には（Ｓ４００：Ｙｅｓ）、Ｓ４０５に処理を移行し、否定判定の場合には（Ｓ４００：Ｎｏ）、本処理を終了する。
【０１２４】
Ｓ４０５では、主制御装置８０は、大入賞口４６の開放中であるか否かを判定し、肯定判定の場合には（Ｓ４０５：Ｙｅｓ）、図１９のＳ４５０に処理を移行すると共に、否定判定の場合には（Ｓ４０５：Ｎｏ）、Ｓ４１０に処理を移行する。
【０１２５】
Ｓ４１０では、主制御装置８０は、大当り遊技における各ラウンドのインターバル中であるか否かを判定し、肯定判定の場合には（Ｓ４１０：Ｙｅｓ）、図１９のＳ４７０に処理を移行すると共に、否定判定の場合には（Ｓ４１０：Ｎｏ）、Ｓ４１５に処理を移行する。
【０１２６】
Ｓ４１５では、主制御装置８０は、大当り遊技の終了演出中であるか否かを判定し、肯定判定の場合には（Ｓ４１５：Ｙｅｓ）、図２０のＳ５００に処理を移行すると共に、否定判定の場合には（Ｓ４１５：Ｎｏ）、Ｓ４２０に処理を移行する。
【０１２７】
Ｓ４２０では、主制御装置８０は、大当り遊技における開始演出時間が経過したか否かを判定し、肯定判定の場合には（Ｓ４２０：Ｙｅｓ）、Ｓ４２５に処理を移行すると共に、否定判定の場合には（Ｓ４２０：Ｎｏ）、本処理を終了する。
【０１２８】
Ｓ４２５では、主制御装置８０は、大入賞口４６を開放させる大入賞口開放処理を実行し、本処理を終了する。
続いて図１９に関して、大入賞口４６の開放中に移行するＳ４５０では、主制御装置８０は、大入賞口４６に入賞した遊技球の数が１０個となったか否かを判定する。そして、肯定判定の場合には（Ｓ４５０：Ｙｅｓ）、Ｓ４６０に処理を移行すると共に、否定判定の場合には（Ｓ４５０：Ｎｏ）、Ｓ４５５に処理を移行する。
【０１２９】
Ｓ４５５では、主制御装置８０は、大入賞口４６の開放時間が終了したか否かを判定し、肯定判定の場合には（Ｓ４５５：Ｙｅｓ）、Ｓ４６０に処理を移行すると共に、否定判定の場合には（Ｓ４５５：Ｎｏ）、本処理を終了する。
【０１３０】
Ｓ４６０では、主制御装置８０は、大入賞口４６を閉鎖させる大入賞口閉鎖処理を実行し、Ｓ４６５に処理を移行する。
Ｓ４６５では、主制御装置８０は、大当り遊技の各ラウンドのインターバルを設定する大当りインターバル処理を実行し、本処理を終了する。
【０１３１】
一方、各ラウンドのインターバル中に移行するＳ４７０では、主制御装置８０は、大当り遊技のインターバル時間が経過したか否かを判定し、肯定判定の場合には（Ｓ４７０：Ｙｅｓ）、Ｓ４７５に処理を移行すると共に、否定判定の場合には（Ｓ４７０：Ｎｏ）、本処理を終了する。
【０１３２】
Ｓ４７５では、主制御装置８０は、大当り遊技の最終ラウンドか否かを判定し、肯定判定の場合には（Ｓ４７５：Ｙｅｓ）、Ｓ４８０に処理を移行すると共に、否定判定の場合には（Ｓ４７５：Ｎｏ）、Ｓ４８５に処理を移行する。
【０１３３】
Ｓ４８０では、主制御装置８０は、大当り遊技を終了させる際の演出を行う大当り終了演出処理を実行し、本処理を終了する。
一方、Ｓ４８５では、主制御装置８０は、大入賞口４６を開放させる大入賞口開放処理を実行し、本処理を終了する。
【０１３４】
続いて図２０に関して、大当り遊技の終了演出中に移行するＳ５００では、主制御装置８０は、該終了演出の時間が終了したか否かを判定し、肯定判定の場合には（Ｓ５００：Ｙｅｓ）、Ｓ５０５に処理を移行すると共に、否定判定の場合には（Ｓ５００：Ｎｏ）、本処理を終了する。
【０１３５】
続くＳ５０５，Ｓ５１０では、主制御装置８０は、役物連続作動装置と条件装置とを停止させ、Ｓ５１５に処理を移行する。
Ｓ５１５では、主制御装置８０は、大当り遊技後に確変状態に移行するか否かを判定し、肯定判定の場合には（Ｓ５１５：Ｙｅｓ）、確変状態中に実行可能な大当り抽選の回数（確変回数）を設定すると共に（Ｓ５２０）、確変フラグをセットし（Ｓ５２５）、Ｓ５３０に処理を移行する。
【０１３６】
Ｓ５３０では、主制御装置８０は、大当り遊技後に時短状態に移行するか否かを判定し、肯定判定の場合には（Ｓ５３０：Ｙｅｓ）、時短状態中に実行可能な大当り抽選の回数（時短回数）を設定すると共に（Ｓ５３５）、時短フラグをセットし（Ｓ５４０）、Ｓ５４５に処理を移行する。
【０１３７】
Ｓ５４５，Ｓ５５０では、主制御装置８０は、サブ統合制御装置８２に対し、大当り遊技に関する演出を終了させる大当り終了コマンドを送信する処理と、大当り遊技終了後の遊技状態を通知する状態指定コマンドを送信する状態指定コマンド送信処理とを実行し、本処理を終了する。
【０１３８】
［第２実施形態］
次に、第２実施形態について説明する。第２実施形態のパチンコ機１は、第１実施形態と略同一の構成を有しており、また、第１実施形態と同様にして遊技が行われるが、内枠３０側から遊技盤４０側の装置への電力供給の形態が相違している。
【０１３９】
すなわち、第１実施形態では、電源基板６４から、コネクタ部７０を介して遊技盤４０に設けられた主制御装置８０等に電力が供給される構成となっている。一方、第２実施形態では、図２１に記載されているように、電源基板６４から電力供給を受けた払出制御装置８１が、コネクタ部７０を介して、遊技盤４０に設けられた主制御装置８０等に電力を供給する構成となっている。
【０１４０】
そして、第２実施形態では、第１実施形態と同様の状態確認スイッチ７７が払出制御装置８１に接続されており、払出制御装置８１は、状態確認スイッチ７７の状態に応じて、遊技盤４０側への電力供給状態を切り替える。
【０１４１】
すなわち、払出制御装置８１のＣＰＵ８１ａは、状態確認スイッチ７７の状態を監視し、該状態に応じて電力供給をするか否かを切り替える電力供給制御処理を行う。以下では、図２２に記載のフローチャートを用いて、電力供給制御処理について詳しく説明する。なお、本処理は、払出制御装置８１のＣＰＵ８１ａにて周期的に実行される。
【０１４２】
Ｓ６００では、払出制御装置８１のＣＰＵ８１ａは、状態確認スイッチ７７からの信号に基づき、状態確認スイッチ７７がオフ状態か否かを判定する。そして、肯定判定が得られた場合には（Ｓ６００：Ｙｅｓ）、Ｓ６０５に処理を移行し、否定判定が得られた場合には（Ｓ６００：Ｎｏ）、Ｓ６２０に処理を移行する。
【０１４３】
Ｓ６０５では、ＣＰＵ８１ａは、主制御装置８０等への電力供給が停止されていることを示す停止フラグがオフか否かを判定する。そして、肯定判定が得られた場合には（Ｓ６０５：Ｙｅｓ）、Ｓ６１０に処理を移行し、否定判定が得られた場合には（Ｓ６０５：Ｎｏ）、本処理を終了する。
【０１４４】
Ｓ６１０では、ＣＰＵ８１ａは、主制御装置８０等への電力供給を停止する電力供給停止処理を実行し、Ｓ６１５に処理を移行する。電力供給停止処理では、ＣＰＵ８１ａは、トランジスタやリレー等のスイッチング素子を用いたスイッチング回路に対し制御信号を出力し、該スイッチング回路をオフ状態とすることで、遊技盤４０側への電力供給を停止させる。
【０１４５】
Ｓ６１５では、ＣＰＵ８１ａは、停止フラグをオンに設定し、本処理を終了する。
一方、状態確認スイッチ７７がオン状態である場合に移行するＳ６２０では、ＣＰＵ８１ａは、停止フラグがオンか否かを判定する。そして、肯定判定が得られた場合には（Ｓ６２０：Ｙｅｓ）、Ｓ６２５に処理を移行し、否定判定が得られた場合には（Ｓ６２０：Ｎｏ）、本処理を終了する。
【０１４６】
Ｓ６２５では、ＣＰＵ８１ａは、主制御装置８０等への電力供給を開始する電力供給開始処理を実行し、Ｓ６３０に処理を移行する。電力供給開始処理では、ＣＰＵ８１ａは、上記スイッチング回路に対し制御信号を出力し、該スイッチング回路をオン状態とすることで、遊技盤４０側への電力供給を開始させる。
【０１４７】
Ｓ６３０では、ＣＰＵ８１ａは、停止フラグをオフに設定し、本処理を終了する。
［変形例］
次に、第２実施形態の変形例について説明する。該変形例においても、払出制御装置８１のＣＰＵ８１ａにて状態確認スイッチ７７の状態が監視され、該状態に基づき遊技盤４０側に電力供給をするか否かが切り替えられる。しかし、一旦遊技盤４０が内枠３０から取り外され、状態確認スイッチ７７の状態がオフ状態になると、以後、遊技盤４０を取り付けても、パチンコ機１の電源が再投入されないと、遊技盤４０側への電力供給が再開されないという点において相違する。以下では、変形例における払出制御装置８１の処理について詳しく説明する。
【０１４８】
（１）電源投入処理について
まず、パチンコ機１の電源投入時に、状態確認スイッチ７７の状態に応じて遊技盤４０側への電力供給を開始する電源投入処理について、図２３に記載のフローチャートを用いて説明する。なお、本処理は、払出制御装置８１への電力供給開始時に実行される。
【０１４９】
Ｓ７００では、払出制御装置８１のＣＰＵ８１ａは、状態確認スイッチ７７からの信号に基づき、状態確認スイッチ７７がオフ状態か否かを判定する。そして、肯定判定が得られた場合には（Ｓ７００：Ｙｅｓ）、Ｓ７０５に処理を移行し、否定判定が得られた場合には（Ｓ７００：Ｎｏ）、本処理を終了する。
【０１５０】
Ｓ７０５では、ＣＰＵ８１ａは、遊技盤４０側への電力供給が停止されていることを示す停止フラグがオンか否かを判定する。そして、肯定判定が得られた場合には（Ｓ７０５：Ｙｅｓ）、Ｓ７１０に処理を移行し、否定判定が得られた場合には（Ｓ７０５：Ｎｏ）、本処理を終了する。なお、停止フラグは、払出制御装置８１の電力供給開始時の初期化処理にてオンに設定されており、本ステップは、通常は肯定判定となる。
【０１５１】
Ｓ７１０では、ＣＰＵ８１ａは、遊技盤４０側への電力供給を開始する電力供給開始処理を実行し、Ｓ７１５に処理を移行する。
Ｓ７１５では、ＣＰＵ８１ａは、停止フラグをオフに設定し、本処理を終了する。
【０１５２】
（２）電力供給制御処理について
次に、パチンコ機１の動作中に、状態確認スイッチ７７の状態に応じて遊技盤４０側への電力供給を停止する電力供給制御処理について、図２４に記載のフローチャートを用いて説明する。なお、本処理は、払出制御装置８１にて周期的に実行される。
【０１５３】
Ｓ８００では、払出制御装置８１のＣＰＵ８１ａは、状態確認スイッチ７７からの信号に基づき、状態確認スイッチ７７がオフ状態か否かを判定し、肯定判定が得られた場合には（Ｓ８００：Ｙｅｓ）、Ｓ８０５に処理を移行する。一方、否定判定が得られた場合には（Ｓ８００：Ｎｏ）、本処理を終了し、これにより、パチンコ機１に電力が供給されている状態で、再び遊技盤４０が内枠３０に取り付けられたとしても、遊技盤４０側への電力供給は行われない。このため、遊技盤４０側への電力供給を再開させるためには、パチンコ機１の電源スイッチ６４ａをオフした後に再度オンし、パチンコ機１への電力供給を一旦停止させた後に再開させる必要がある。
【０１５４】
Ｓ８０５では、ＣＰＵ８１ａは、停止フラグがオフか否かを判定する。そして、肯定判定が得られた場合には（Ｓ８０５：Ｙｅｓ）、Ｓ８１０に処理を移行し、否定判定が得られた場合には（Ｓ８０５：Ｎｏ）、本処理を終了する。
【０１５５】
Ｓ８１０では、ＣＰＵ８１ａは、遊技盤４０側への電力供給を停止する電力供給停止処理を実行し、Ｓ８１５に処理を移行する。
Ｓ８１５では、ＣＰＵ８１ａは、停止フラグをオンに設定し、本処理を終了する。
【０１５６】
［効果］
第１，第２実施形態のパチンコ機１によれば、遊技盤４０を内枠３０に取り付けるのに伴いコネクタ部７０が接続されると共に、遊技盤４０を内枠３０から取り外すのに伴い、コネクタ部７０の接続が解除される。このため、遊技盤４０の取り付け，取り外しに応じて、遊技盤４０側の装置と内枠３０側の装置との間の電気的接続が完了或いは解除され、遊技盤４０を取り替える面換えの作業を容易に行うことができる。
【０１５７】
また、内枠３０から遊技盤４０を取り外すと、電源基板６４等から遊技盤４０側の主制御装置８０への電力供給が停止される。このため、遊技盤４０の取り付け，取り外しの際、仮にコネクタ部７０に設けられた電源端子が他の端子に接触したとしても、ショートが生じることは無く、パチンコ機１の電源を入れた状態で容易且つ安全に面換えを行うことができる。
【０１５８】
［他の実施形態］
（１）第１，第２実施形態では、電源基板６４や払出制御装置８１は、状態確認スイッチ７７がオフ状態である場合（内枠３０から遊技盤４０が取り外された場合）には、遊技盤４０側への電力供給を停止する構成となっている。しかし、電源基板６４等は、遊技盤４０側への電力供給の停止に替えて、例えば、電源基板６４に設けられた電源スイッチ６４ａを強制的にオフ状態にする等して、当該パチンコ機１への電力供給が停止された状態としても良い。このような場合であっても、同様の効果を得ることができる。
【０１５９】
（２）第２実施形態では、払出制御装置８１のＣＰＵ８１ａは、状態確認スイッチ７７の状態に応じて遊技盤４０側への電力供給を行うか否かを切り替える。しかしながら、このほかにも、ＣＰＵ８１ａは、例えば、内枠３０側のドロワコネクタ７１の端子の電圧レベルを監視し、該電圧レベルに基づき、内枠３０に遊技盤４０が完全に取り付けられた状態か否かを判定すると共に、該判定結果に応じて、遊技盤４０側への電力供給状態を切り替えても良い。
【０１６０】
具体的には、上記電圧レベルが、内枠３０側のドロワコネクタ７１と遊技盤４０側のドロワコネクタ７２が非接続となったことを示している場合や、不安定になった場合には、遊技盤４０が完全に取り付けられた状態で無いとみなし、遊技盤４０側への電力供給を停止しても良い。
【０１６１】
このような場合であっても、同様の効果を得ることができる。
（３）第１実施形態では、電源基板６４は、ハード的な構成により、状態確認スイッチ７７の状態に応じて遊技盤４０側への電力供給を行うか否かを切り替える。しかしながら、例えば、電源基板６４にＣＰＵ等を設け、該ＣＰＵにて、第２実施形態や、その変形例や、上記（２）における払出制御装置８１と同様の処理を行うことで、状態確認スイッチ７７の状態に応じて遊技盤４０側への電力供給状態を切り替えても良い。
【０１６２】
無論、第２実施形態の払出制御装置８１において、第１実施形態の電源基板６４と同様のハード的な構成により、状態確認スイッチ７７の状態に応じて遊技盤４０側への電力供給状態を切り替えても良い。
【０１６３】
このような場合であっても、同様の効果を得ることができる。
（４）また、第１，第２実施形態では内枠３０側のドロワコネクタ７１のみを上下左右に移動可能としたが、遊技盤４０側のドロワコネクタ７２を移動可能としてもよく、更には両ドロワコネクタ７１，７２を移動可能としても良い。このような場合であっても、同様の効果を得ることができる。
【０１６４】
［特許請求の範囲との対応］
上記実施形態の説明で用いた用語と、特許請求の範囲の記載に用いた用語との対応を示す。
【０１６５】
第１，第２実施形態の内枠３０が遊技枠に、ドロワコネクタ７１が遊技枠側コネクタ、ドロワコネクタ７２が遊技盤側コネクタに、状態確認スイッチ７７が検出手段に相当する。
【０１６６】
また、第１実施形態の電源基板６４，第２実施形態の払出制御装置８１が、電力供給手段に相当する。
【符号の説明】
【０１６７】
１…パチンコ機、２…ＣＲユニット、３…ホールコンピュータ、１０…外枠、１１…ヒンジ、２０…前枠、２１…上皿、２２…下皿、２３…発射ハンドル、２４…装飾部、２５…貸出ボタン、２６…精算ボタン、２７…残高表示装置、２８…演出ボタン、２９…ジョグダイヤル、３０…内枠、３０ａ…上枠部、３０ｂ…下枠部、３０ｃ…左縦枠部、３０ｄ…右縦枠部、３１…係合部、３１ａ…バネ材、３１ｂ…当接突起、３２…ロック部、３３…ガラス枠閉鎖ＳＷ、３４…内枠閉鎖ＳＷ、３５…球切れＳＷ、３６…払出モータ、３７…払出ＳＷ、３８…満杯ＳＷ、４０…遊技盤、４０ａ…外レール、４０ｂ…内レール、４１…遊技領域、４２…カバー部材、４３…センターケース、４４…第１始動口、４４ａ…第１始動口ＳＷ、４５…第２始動口、４５ａ…第２始動口ＳＷ、４５ｂ…普電役物ソレノイド、４６…大入賞口、４６ａ…第１カウントＳＷ、４６ｂ…大入賞口ソレノイド、４７…普通図柄作動ゲート、４７ａ…普通図柄作動ＳＷ、４８…一般入賞口、４８ａ…一般入賞口ＳＷ、５０…普通図柄表示装置、５１…普図保留数表示装置、５２…第１特図表示装置、５３…第２特図表示装置、５４…第１特図保留数表示装置、５５…第２特図保留数表示装置、５６…スピーカ、５７…発射装置、５７ａ…発射停止ＳＷ、５７ｂ…タッチＳＷ、５７ｃ…発射モータ、６０…外部接続端子板、６１…球タンク、６２…タンクレール、６３…払出装置、６４…電源基板、６４ａ…電源スイッチ、６４ｂ…スイッチング回路、７０…コネクタ部、７１…ドロワコネクタ、７１ａ…ベース部、７１ｂ…接続凸部、７１ｃ…ガイド部、７１ｄ…取付マウント部材、７２…ドロワコネクタ、７２ａ…ベース部、７２ｂ…接続凹部、７３…支持部、７４…取付面、７５…支持部、７６…取付面、７７…状態確認スイッチ、８０…主制御装置、８１…払出制御装置、８１ａ…ＣＰＵ、８２…サブ統合制御装置、８３…演出図柄制御装置、８４…演出図柄表示装置、８５…盤枠配線中継端子板。
【図１】
2014128391.tif 000003
【図２】
2014128391.tif 000004
【図３】
2014128391.tif 000005
【図４】
2014128391.tif 000006
【図５】
2014128391.tif 000007
【図６】
2014128391.tif 000008
【図７】
2014128391.tif 000009
【図８】
2014128391.tif 000010
【図９】
2014128391.tif 000011
【図１０】
2014128391.tif 000012
【図１１】
2014128391.tif 000013
【図１２】
2014128391.tif 000014
【図１３】
2014128391.tif 000015
【図１４】
2014128391.tif 000016
【図１５】
2014128391.tif 000017
【図１６】
2014128391.tif 000018
【図１７】
2014128391.tif 000019
【図１８】
2014128391.tif 000020
【図１９】
2014128391.tif 000021
【図２０】
2014128391.tif 000022
【図２１】
2014128391.tif 000023
【図２２】
2014128391.tif 000024
【図２３】
2014128391.tif 000025
【図２４】
2014128391.tif 000026